(57)【要約】 【課題】  フレキシブルプリント配線板の形状に関する設計の自由度が高く、かつ半田を完全に除去することが容易なフレキシブルプリント配線板、およびこれを備える光ピックアップ装置を提供する。【解決手段】  フレキシブルプリント配線板１０において、被覆層１２には、開口１７が形成される。開口１７に露出する縁辺部１８の、開口部１６に接する縁辺部１８のうち、開口部１６に接する部分を「縁辺端部」１９と称すると、縁辺端部１９のうち、一方の導体層１３の長手方向一方Ｘ１の縁辺端部１９と他方の導体層１３の縁辺端部１９との、開口１７内の支持層１４上の最短の行程は、２つの縁辺部１８間の距離よりも長い。また一方の導体層１３の長手方向他方Ｘ２の縁辺端部１９と他方の導体層１３の縁辺端部１９との、開口１７内の支持層１４上の最短の行程は、２つの縁辺部１８間の距離よりも長い。【選択図】      図１
2009224730.tif 000002
【特許請求の範囲】
【請求項１】
半導体レーザ素子に接続されるフレキシブルプリント配線板であって、
開口部を有し、開口部によって規定される開口が形成される被覆層と、
長手方向に延びて形成され、前記被覆層によって被覆され、前記開口に縁辺部が露出する２つの導体層と、
前記２つの導体層が互いに離れた状態で前記導体層および前記被覆層を支持する支持層とを含み、
前記開口に露出する縁辺部の、前記開口部に接する縁辺端部のうち、一方の前記導体層の長手方向一方の前記縁辺端部と、他方の前記導体層の長手方向一方の前記縁辺端部との、前記開口内の支持層上の最短の行程は、２つの縁辺部間の距離よりも長く、
一方の前記導体層の長手方向他方の前記縁辺端部と、他方の前記導体層の長手方向他方の前記縁辺端部との、前記開口内の支持層上の最短の行程は、２つの縁辺部間の距離よりも長いことを特徴とする記載のフレキシブルプリント配線板。
【請求項２】
前記開口部のうち、前記長手方向および被覆層の厚み方向に垂直な交差方向に関して同一位置で、かつ前記長手方向に離れた２つの部分間の距離は、前記支持層上において狭窄していることを特徴とする請求項１に記載のフレキシブルプリント配線板。
【請求項３】
前記開口部の形状は、凹形状に形成される部分において、滑らかに湾曲することを特徴とする請求項１または２に記載のフレキシブルプリント配線板。
【請求項４】
前記開口を長手方向から規定する開口部の近傍において、前記導体層は、切欠かれて凹形状に形成されることを特徴とする請求項１〜３のいずれか１つに記載のフレキシブルプリント配線板。
【請求項５】
前記開口に露出する導体層のうち、凹形状に切欠かれることによって凸形状に形成される部分の縁辺部は、滑らかに湾曲した形状に形成されることを特徴とする請求項４に記載のフレキシブルプリント配線板。
【請求項６】
２つのうち一方の前記導体層が前記開口に露出する部分の前記長手方向の位置と、他方の前記導体層が前記開口に露出する部分の前記長手方向の位置とは、互いに異なることを特徴とする請求項１〜５のいずれか１つに記載のフレキシブルプリント配線板。
【請求項７】
半導体レーザ素子に接続されるフレキシブルプリント配線板であって、
長手方向に延びて形成される２つの導体層と、
前記２つの導体層が互いに離れた状態で前記導体層を支持する支持層と、
前記支持層に関して前記導体層と同じ側から前記導体層および前記支持層を被覆する被覆層であって、
一方の導体層を露出させる第１開口と、他方の導体層を露出させる第２開口とが形成され、前記第１開口の位置と前記第２開口の位置との間において前記支持層を覆う被覆層が形成されることを特徴とするフレキシブルプリント配線板。
【請求項８】
請求項１〜７のいずれか１つに記載のフレキシブルプリント配線板を備える光ピックアップ装置。
【発明の詳細な説明】
【技術分野】
【０００１】
本発明は、半導体レーザ素子に接続されるフレキシブルプリント配線板およびこれを備える光ピックアップ装置に関する。
【背景技術】
【０００２】
図９は、第１の従来技術におけるフレキシブルプリント配線板１のコネクタ部２の平面図である。第１の従来技術におけるフレキシブルプリント配線板は、配列方向に沿って延びる突出部３を有し、この突出部に半田短絡部４を設ける（たとえば特許文献１参照）。特許文献１には、半田短絡部における導体層の形状、および導体層を被覆する被覆層の開口の形状について、詳細な記載はない。
【０００３】
図１０は、第２の従来技術に係るフレキシブルプリント配線板５の平面図である。第２の従来技術において、導体層６間を導通させるために半田を配置する部分には、導体層６を被覆する被覆層７に開口８が円形に形成され、導体層６の一部が露出している。
【０００４】
【特許文献１】特開平１１−２３８２４８号公報
【発明の開示】
【発明が解決しようとする課題】
【０００５】
第１および第２の従来技術におけるフレキシブルプリント配線板では、半田を除去する半田除去部で加熱して除去する場合に、加熱された半田は粘性の高い流体となり、半田を完全に除去することが難しく、導体層間の導通が解除されない場合があるという問題点がある。
【０００６】
また第１実施形態では、フレキシブルプリント配線板の導体層に予め突出部を形成する必要があり、フレキシブルプリント配線板の設計の自由度が制限されるという問題点がある。
【０００７】
本発明の目的は、フレキシブルプリント配線板の形状に関する設計の自由度が高く、かつ半田を完全に除去することが容易なフレキシブルプリント配線板、およびこれを備える光ピックアップ装置を提供することである。
【課題を解決するための手段】
【０００８】
本発明（１）に従えば、フレキシブルプリント配線板は、半導体レーザ素子に接続され、被覆層と、２つの導体層と、支持層とを含んで構成される。被覆層は、開口部を有し、開口が形成される。開口は開口部によって規定される。２つの導体層は、長手方向に延びて形成され、被覆層によって被覆される。また２つの導体層は、開口に縁辺部が露出する。支持層は、２つの導体層が互いに離れた状態で、導体層および被覆層を支持する。開口に露出する縁辺部の、開口部に接する縁辺部のうち、開口部に接する縁辺端部のうち、一方の導体層の長手方向一方の縁辺端部と他方の導体層の縁辺端部との、開口内の支持層上の最短の行程は、２つの縁辺部間の距離よりも長い。また一方の導体層の長手方向他方の縁辺端部と他方の導体層の縁辺端部との、開口内の支持層上の最短の行程は、２つの縁辺部間の距離よりも長い。
【０００９】
また本発明（７）に従えば、フレキシブルプリント配線板は、半導体レーザ素子に接続され、２つの導体層と、支持層と、被覆層とを含んで構成される。２つの導体層は、長手方向に延びて形成される。支持層は、２つの導体層が互いに離れた状態で導体層を支持する。被覆層は、支持層に関して導体層と同じ側から導体層および支持層を被覆する。また被覆層には、第１開口と第２開口とが形成される。第１開口は、一方の導体層を露出させ、第２開口は他方の導体層を露出させる。被覆層は、第１開口の位置と第２開口の位置との間において支持層を覆う。
【００１０】
また本発明（８）に従えば、光ピックアップ装置は、前記フレキシブルプリント配線板を備える。
【発明の効果】
【００１１】
本発明（１）によれば、被覆層の開口が円形に形成される場合に比べて、開口内の支持層上において、１つの縁辺端部から他の縁辺端部にまで半田が連続して残留する可能性を低減することができる。半田を除去する場合には、半田は、開口内の開口部近傍に残留しやすい。したがって、半田が連続して残留することによって２つの導体層が導通される場合には、縁辺端部に残留する半田によって２つの導体層の互いの縁辺部が導通される場合が多い。被覆層の開口が円形に形成される場合に比べて、一方の導体層の縁辺端部から他方の導体層の縁辺端部までの開口内での行程を長くすることによって、開口内の開口部近傍で、かつ縁辺端部間に残留する半田の量を低減することが容易になる。これによって、半田を完全に除去することを容易にすることができる。
【００１２】
また一方の導体層の縁辺端部から他方の導体層の縁辺端部までの開口内での行程は、長くなればなるほど、残留する半田は多くなければ導体層間は導通されない。したがって、半田を除去した後に、２つの導体層が導通されたままの状態となることを防止することができる。また、半田を配置する位置を、被覆層に開口を形成することによって決定できるので、フレキシブルプリント配線板に、半田を配置するための突出部を設けることなく、半田の配置および除去を容易にすることができる。したがって、半田を配置するための突出部を設ける場合に比べて、フレキシブルプリント配線板の設計の自由度を高くすることができる。
【００１３】
また本発明（７）によれば、第１開口と第２開口とを、被覆層によって分離することができる。被覆層の外表面は、開口部および導体層とが接する部分に比べて平滑であるので、半田を除去することが容易である。第１開口と第２開口との間において、半田を完全に除去することが容易になる。また、仮に第１開口と第２開口との間に半田が残留する場合には、残留する半田を視認することが容易になる。したがって、第１開口に露出する導体層と第２開口に露出する導体層とが、残留する半田によって導通されることを防止することができる。
【００１４】
半田を配置する位置は、被覆層に開口を形成することによって決定されるので、フレキシブルプリント配線板に、半田を配置するための突出部を設けることなく、半田の配置および除去を容易にすることができる。したがって、半田を配置するための突出部を設ける場合に比べて、フレキシブルプリント配線板の設計の自由度を高くすることができる。
【００１５】
また本発明（８）によれば、光ピックアップ装置に搭載される半導体レーザ素子の端子間は、静電破壊を防止するために導通させることが必要である。半導体レーザ素子が光ピックアップ装置およびこれを備える情報処理装置に実装された後、半導体レーザ素子の電子間の導通は解除される。フレキシブルプリント配線板は、導通された２つの導体層のうち、一方の導体層と他方の導体層とを導通させる半田の除去が容易であるので、半導体レーザ素子の端子間の導通を確実に解除することができる。また、半導体レーザ素子に通電が行われた場合に、ショートすることを防止することができる。したがって、光ピックアップ装置および情報処理装置を製造するときに、歩留まりを高くすることができる。
【発明を実施するための最良の形態】
【００１６】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。またそれぞれの実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。以下の説明は、フレキシブルプリント配線板１０、光ピックアップ装置１１についての説明をも含む。
【００１７】
＜第１実施形態＞
図１は、本発明の第１実施形態に係るフレキシブルプリント配線板１０の平面図である。図２は、本発明の第１実施形態に係る光ピックアップ装置１１の斜視図である。第１実施形態においてフレキシブルプリント配線板１０は、半導体レーザ素子に接続され、被覆層１２と、２つの導体層１３と、支持層１４とを含んで構成される。被覆層１２は、開口部１６を有し、開口１７が形成される。開口１７は開口部１６によって規定される。２つの導体層１３は、長手方向Ｘに延びて形成され、被覆層１２によって被覆される。導体層１３は、細長い板状の形状に形成され、細長い導体層１３の長手方向Ｘを、単に「長手方向」Ｘと称する。光ピックアップ装置１１は、フレキシブルプリント配線板１０を備える。
【００１８】
光ピックアップ装置１１は、たとえばコンパクトディスク（Compact Disk, 略称「ＣＤ」）、光磁気ディスク（Magneto Optical, 略称：「ＭＯ」）、デジタルバーサタイルディスク（Digital Versatile Disk, 略称：「ＤＶＤ」）、光カード（Optical Card）、ブルーレイディスク（blu-ray disk, 略称「ＢＤ」）などの光学記録媒体に対して、光の出射および受光を行う装置で、情報処理装置に搭載される。情報処理装置は、光学記録媒体に対して、情報の記録、再生、消去、および書換えの少なくともいずれか１つを行う。半導体レーザ素子は、光ピックアップ装置１１に搭載され、光学記録媒体に対する情報処理に用いられる光の出射を行う。
【００１９】
半導体レーザ素子に静電気が蓄積されると、半導体レーザ素子には静電破壊が生じることがある。静電破壊とは、蓄積された静電気によって損傷を受けることである。これを防止するために、半導体レーザ素子は、実装が終了するまで半導体レーザ素子の端子間を導通する。半導体レーザ素子の電源などへの接続が終了してから、半導体レーザ素子の端子間の導通を解除する。半導体レーザ素子に接続されるフレキシブルプリント配線板１０の開口１７は、半導体レーザ素子の端子間を導通させるための開口である。
【００２０】
開口１７には、互いに接続されていない２つの導体層１３が露出する。図１において、導体層１３のうち、開口１７に露出する部分を斜線で表す。図１の導体層１３について、斜線は断面を表すものではない。具体的には、２つの導体層１３は、開口１７に縁辺部１８が露出する。縁辺部１８は、開口１７に露出する２つの導体層１３のうち、互いに他の導体層１３に対向し、長手方向Ｘに延びる端部である。各導体層１３の、長手方向Ｘに延びる端部は、各導体層１３に２つずつ含まれるけれども、開口１７に露出する２つの導体層１３においては、いずれの導体層１３においても、２つの縁辺部１８のうち１つの縁辺部１８が開口１７に露出する。開口１７に露出する２つの導体層１３は、半導体レーザ素子の端子に接続される。したがって、開口１７に半田を配置し、開口１７に露出する２つの導体層１３を導通することによって、半導体レーザ素子の端子間は、導通され、開口１７に配置した半田を除去することによって、半導体レーザ素子の端子間の導通は解除される。
【００２１】
支持層１４は、２つの導体層１３が互いに離れた状態で、導体層１３および被覆層１２を支持する。フレキシブルプリント配線板１０は、少なくとも２つの導体層１３を含み、本実施形態においては十数本の導体層１３を含むけれども、フレキシブルプリント配線板１０に含まれる導体層１３の数については、規定しない。これら複数の導体層１３は、光ピックアップ装置１１に接続され、半導体レーザ素子の光の出射に対する制御信号、光ピックアップ装置１１に搭載されるレンズの位置調整のための制御信号、受光部からの情報内容の信号などを伝送する。半導体レーザ素子には、少なくとも２つの端子が形成され、半導体レーザ素子に形成される端子は、２つよりも多い個数であってもよい。
【００２２】
フレキシブルプリント配線板１０は、被覆層１２、導体層１３、支持層１４を含み、これらのいずれもが可撓性を有する。これによってフレキシブルプリント配線板１０自体、可撓性を有し、湾曲させることができる。フレキシブルプリント配線板１０は、平面的に配置することも可能であり、フレキシブルプリント配線板１０が平面的に配置されたときには、複数の導体層１３は、長手方向Ｘおよびフレキシブルプリント配線板１０の厚み方向Ｚに垂直な方向に並ぶ。フレキシブルプリント配線板１０の厚み方向Ｚは、被覆層１２、導体層１３、支持層１４の厚み方向Ｚに一致し、これらを、単に「厚み方向」Ｚと称する。長手方向Ｘおよび厚み方向Ｚに垂直な方向を「交差方向」Ｙと称する。複数の導体層１３は、交差方向Ｙに並ぶ。
【００２３】
被覆層１２には、少なくとも１つの開口１７が形成される。被覆層１２に形成される開口１７は１つに限定するものではなく、複数の開口１７が形成されていてもよい。開口１７に露出する縁辺部１８の、開口部１６に接する縁辺部１８のうち、開口部１６に接する部分を「縁辺端部」１９と称する。縁辺端部１９のうち、一方の導体層１３の長手方向一方Ｘ１の縁辺端部１９と他方の導体層１３の縁辺端部１９との、開口１７内の支持層１４上の最短の行程は、２つの縁辺部１８間の距離よりも長い。また一方の導体層１３の長手方向他方Ｘ２の縁辺端部１９と他方の導体層１３の縁辺端部１９との、開口１７内の支持層１４上の最短の行程は、２つの縁辺部１８間の距離よりも長い。
【００２４】
互いに離れる２つの縁辺端部１９の間の行程は、２つの縁辺端部１９のうちの一方の縁辺端部１９から他方の縁辺端部１９まで、支持層１４上をたどる道筋の長さであるものとする。したがって、２つの縁辺端部１９の間の支持層１４上に、被覆層１２が位置していない場合には、２つの縁辺端部１９間の行程は、２つの縁辺端部１９間の距離に等しくなるけれども、２つの縁辺端部１９の間の支持層１４上に、被覆層１２が位置している場合には、被覆層１２をよけて支持層１４上をたどる道筋の長さ、すなわち行程は、２つの縁辺端部１９間の距離よりも長くなる。
【００２５】
さらに本実施形態において、一方の導体層１３の縁辺端部１９と、他方の導体層１３の縁辺端部１９との、開口１７内における支持層１４上の最短の行程は、いずれの行程も、２つの縁辺部１８間の距離よりも長い。開口部１６のうち、長手方向Ｘにおける開口１７の寸法は、支持層１４上において狭窄している。具体的には、開口部１６のうち、長手方向Ｘおよび被覆層１２の厚み方向Ｚに垂直な交差方向Ｙに関して同一位置で、かつ長手方向Ｘに離れた２つの部分間の距離は、支持層１４上において狭窄している。支持層１４上において開口部１６は、開口１７の中央に向かって先細状である。
【００２６】
支持層１４上において、開口１７を長手方向一方Ｘ１から規定する部分を「長手方向第１部分」２１と称し、支持層１４上において開口１７を長手方向他方Ｘ２から規定する部分を「長手方向第２部分」２２と称する。開口部１６のうちの最も交差方向一方Ｙ１にあって、開口１７を交差方向一方Ｙ１から規定する部分を「交差方向第１部分」２４と称し、開口部１６のうち最も交差方向他方Ｙ２にあって、開口１７を交差方向他方Ｙ２から規定する部分を「交差方向第２部分」２６と称する。
【００２７】
開口部１６のうち、長手方向第１部分２１の交差方向Ｙ両側の部分は、長手方向第１部分２１よりも長手方向一方Ｘ１にあり、開口部１６のうち、長手方向第２部分２２の交差方向Ｙ両側の部分は、長手方向第２部分２２よりも長手方向他方Ｘ２にある。本実施形態において、長手方向第１部分２１と長手方向第２部分２２とは、交差方向Ｙに関して同一位置に形成され、交差方向第１部分２４と交差方向第２部分２６とは、長手方向Ｘに同一位置に形成される。長手方向第１部分２１および長手方向第２部分２２は、交差方向Ｙに延びる端部として形成され、これらの部分において開口１７は、交差方向Ｙに延びる直線状に規定される。換言すれば、第１実施形態において開口部１６は、円形に形成される形状から、支持層１４上の部分においてのみ、長手方向Ｘ両側から、開口１７の内部に向かって部分的に突出した形状として形成される。
【００２８】
半導体レーザ素子に静電気が蓄積されると、半導体レーザ素子には静電破壊が生じることがあるので、静電破壊を防止するために、半導体レーザ素子は、実装が終了するまで半導体レーザ素子の端子間を導通する。開口１７に露出する２つの導体層１３は、半導体レーザ素子の端子に接続される導体層１３であるので、開口１７に半田を配置することによって、半導体レーザ素子の静電破壊を防止する。半導体レーザに接続される端子が、２つよりも多く、たとえば４つある場合には、開口１７が２箇所形成され、２箇所の開口１７に半田が配置されることによって、半導体レーザ素子の４つの端子をそれぞれ２箇所で導通してもよい。
【００２９】
半導体レーザ素子の電源などへの接続が終了してから、半導体レーザ素子の端子間の導通を解除する。半導体レーザ素子の導通を解除するために行う半田除去は、半田除去部によって行う。第１実施形態において半田除去部は、半田ごてである。半田ごては、半田の融点以上の温度にまで加熱された半田ごての先端部分を、半田に接触させて半田を加熱し、半田を融点以上の温度にまで加熱することによって融解させる。半田が融点以上の温度になることによって融解すると、液体状になる。加熱されて液体状となった半田は粘性の高い流体となる。
【００３０】
半田は、複数種類の金属からなる合金で形成され、銀、銅、スズなどを含み、時には鉛を含む。半田は金属であるので、融解して液体状となった半田は、金属からなる導体層１３に対して親和性が高い。支持層１４および被覆層１２は、絶縁性を有する樹脂から成り、液体状となった半田に対して親和性が低いことが好ましい。これによって、液体状の半田は、支持層１４および被覆層１２に対して表面張力を示し、支持層１４および被覆層１２と離反し易くなる。したがって、支持層１４上で半田が残留し、２つの導体層１３間が導通される可能性が低減される。
【００３１】
親和性が高いとは、固体に対する液体の接触角が９０度以上のときの、固体に対する液体の親和性を意味し、親和性が低いとは、固体に対する液体の接触角が９０度未満のときの、固体に対する液体の親和性を意味する。支持層１４および被覆層１２と、液体状の半田との親和性が低くても、液体状の半田には粘性があり、また周囲の空気によって冷却され、半田が完全に除去される以前に支持層１４上に固体として残ることが考えられる。
【００３２】
第１実施形態によれば、開口部１６に接する縁辺端部１９のうち、一方の導体層１３の長手方向一方Ｘ１の縁辺端部１９と他方の導体層１３の縁辺端部１９との、開口１７内の支持層１４上の最短の行程は、２つの縁辺部１８間の距離よりも長い。また一方の導体層１３の長手方向他方Ｘ２の縁辺端部１９と他方の導体層１３の縁辺端部１９との、開口１７内の支持層１４上の最短の行程は、２つの縁辺部１８間の距離よりも長い。
【００３３】
これによって、被覆層１２の開口１７が円形に形成される場合に比べて、開口１７内の支持層１４上において、１つの縁辺端部１９から他の縁辺端部１９にまで半田が連続して残留する可能性を低減することができる。半田を除去する場合には、半田は、開口１７内の開口部１６近傍に残留しやすい。したがって、半田が連続して残留することによって２つの導体層１３が導通される場合には、縁辺端部１９に残留する半田によって２つの導体層１３の互いの縁辺部１８が導通される場合が多い。被覆層１２の開口が円形に形成される場合に比べて、一方の導体層１３の縁辺端部１９から他方の導体層１３の縁辺端部１９までの開口１７内での行程を長くすることによって、開口１７内の開口部１６近傍で、かつ縁辺端部１９間に残留する半田の量を低減することが容易になる。これによって、半田を完全に除去することを容易にすることができる。
【００３４】
また一方の導体層１３の縁辺端部１９から他方の導体層１３の縁辺端部１９までの開口１７内での行程は、長くなればなるほど、残留する半田は多くなければ導体層１３間は導通されない。したがって、半田を除去した後に、２つの導体層１３が導通されたままの状態となることを防止することができる。また、半田を配置する位置を、被覆層１２に開口１７を形成することによって決定できるので、フレキシブルプリント配線板１０に、半田を配置するための突出部を設けることなく、半田の配置および除去を容易にすることができる。したがって、半田を配置するための突出部を設ける場合に比べて、フレキシブルプリント配線板１０の設計の自由度を高くすることができる。
【００３５】
またさらに、一方の導体層１３の縁辺端部１９と、他方の導体層１３の縁辺端部１９との、開口１７内における支持層１４上の最短の行程は、いずれの行程も、２つの縁辺部１８間の距離よりも長い。これによって、開口１７が円形に形成される場合に比べて、一方の導体層１３の縁辺端部１９と他方の導体層１３の縁辺端部１９とが、残留する半田によって導通される可能性を低減することができる。
【００３６】
また第１実施形態によれば、開口部１６のうち、長手方向Ｘにおける開口１７の寸法は、支持層１４上において狭窄している。具体的には、開口部１６のうち、長手方向Ｘおよび被覆層１２の厚み方向Ｚに垂直な交差方向Ｙに関して同一位置で、かつ長手方向Ｘに離れた２つの部分間の距離は、支持層１４上において狭窄している。支持層１４上において開口部１６は、開口１７の中央に向かって先細状である。これによって、異なる導体層１３の、長手方向Ｘに同じ側の２つの縁辺端部１９間の、開口１７内における支持層１４状の最短の工程を短くすることができる。したがって、開口１７が円形に形成される場合に比べて、一方の導体層１３の縁辺端部１９と他方の導体層１３の縁辺端部１９とが、残留するはんだによって、導通される可能性を低減することができる。
【００３７】
また第１実施形態によれば、光ピックアップ装置１１は、フレキシブルプリント配線板１０を備える。光ピックアップ装置１１に搭載される半導体レーザ素子の端子間は、静電破壊を防止するために導通させることが必要である。半導体レーザ素子が光ピックアップ装置１１およびこれを備える情報処理装置に実装された後、半導体レーザ素子の電子間の導通は解除される。フレキシブルプリント配線板１０は、導通された２つの導体層１３のうち、一方の導体層１３と他方の導体層１３とを導通させる半田の除去が容易であるので、半導体レーザ素子の端子間の導通を確実に解除することができる。また、半導体レーザ素子に通電が行われた場合に、ショートすることを防止することができる。したがって、光ピックアップ装置１１および情報処理装置を製造するときに、歩留まりを高くすることができる。
【００３８】
＜第２実施形態＞
図３は、本発明の第２実施形態に係るフレキシブルプリント配線板１０Ａの平面図である。第２実施形態に係るフレキシブルプリント配線板１０Ａは、第１実施形態に係るフレキシブルプリント配線板１０Ａに類似しており、以下、第１実施形態に対する第２実施形態の相違点を中心に説明する。
【００３９】
開口部１６Ａの形状は、凹形状に形成される部分において、滑らかに湾曲する。たとえば直交座標系において、連続な１つの直線で表される関数は、微分可能である。複数の直線または曲線で表される関数は、連続であっても微分可能である場合と、微分不可能である場合とがある。直線または曲線の形状に関して、連続かつ微分可能であることを「滑らか」と表現する。したがって、直線または曲線において滑らかとは、その直線または曲線上の１点において、その直線または曲線が屈折していないことを意味する。
【００４０】
第２実施形態によれば、開口部１６Ａの形状は、凹形状に形成される部分において、滑らかに湾曲するので、半田を半田除去部によって除去するときに、半田除去部が開口部１６Ａに沿って滑らかに移動して、半田を除去することができる。したがって、半田が残留する可能性を低減することができる。凹形状に形成される開口部１６Ａが角を成して屈折していると、半田除去部が開口部１６Ａに沿って滑らかに移動して半田を除去することが妨げられる。また、屈折する開口部１６Ａに挟まれる角度が小さければ小さいほど、開口部１６Ａに挟まれる開口１７Ａ内の空間に半田除去部が届きにくくなり、半田が残留する可能性は、高くなる。凹形状に形成される部分が滑らかに湾曲することによって、半田除去部が届きにくくなる空間が形成されることを防止できるので、開口１７Ａ内における、半田が残留する可能性の高い空間の形成を防止することができる。
【００４１】
＜第３実施形態＞
図４は、第３実施形態に係るフレキシブルプリント配線板１０Ｂの平面図である。開口部１６Ｂのうち、開口１７Ｂを長手方向Ｘから規定する部分の近傍において、導体層１３Ｂは、切りかかれて凹形状に形成される。第３実施形態において、開口１７Ｂは、円形に形成される。２つの導体層１３Ｂのうち、交差方向一方Ｙ１の導体層１３Ｂは、長手方向第１部分２１Ｂおよび長手方向第２部分２２Ｂ近傍において、交差方向一方Ｙ１に切欠かれて凹形状に形成される。これによって、交差方向一方Ｙ１の導体層１３Ｂの縁辺端部１９Ｂは、導体層１３Ｂが切欠かれていない場合よりも交差方向一方Ｙ１に形成される。２つの導体層１３Ｂのうち、交差方向他方Ｙ２の導体層１３Ｂは、長手方向第１部分２１Ｂおよび長手方向第２部分２２Ｂ近傍において、交差方向他方Ｙ２に切欠かれて凹形状に形成される。これによって、交差方向他方Ｙ２の導体層１３Ｂの縁辺端部１９Ｂは、導体層１３Ｂが切欠かれていない場合よりも交差方向一方Ｙ１に形成される。
【００４２】
第３実施形態によれば、２つの導体層１３Ｂの、交差方向Ｙに互いに対向する縁辺端部１９Ｂは、切欠きが形成されない場合に比べて、交差方向Ｙに離れて位置する。したがって、長手方向Ｘに同じ側の２つの縁辺端部１９Ｂ間の、開口１７Ｂ内における支持層１４上の最短の行程を長くすることができる。これによって、開口１７Ｂに配置された半田を融解して除去するときに、半田が縁辺端部１９Ｂ間に配置されて２つの導体層１３Ｂを導通する可能性を低減することができる。
【００４３】
第３実施形態において、２つの導体層１３Ｂには、その両方において切欠きが形成されるものとしたけれども、他の実施形態において切欠きが形成されるのは、長手方向第１部分２１Ｂ近傍において、交差方向Ｙいずれか一方の導体層１３Ｂのみであってもよく、長手方向第２部分２２Ｂ近傍において、交差方向Ｙいずれか一方の導体層１３Ｂのみであってもよい。
【００４４】
＜第４実施形態＞
図５は、本発明の第４実施形態に係るフレキシブルプリント配線板１０Ｃの平面図である。第４実施形態に係るフレキシブルプリント配線板１０Ｃは、第３実施形態に係るフレキシブルプリント配線板１０Ｂに類似しており、以下、第３実施形態に対する第４実施形態の相違点を中心に説明する。
【００４５】
開口１７Ｃに露出する導体層１３Ｃのうち、凹形状に切欠かれることによって凸形状に形成される部分の縁辺部１８Ｃは、滑らかに湾曲した形状に形成される。第４実施形態においても、開口部１６Ｃのうち、開口１７Ｃを長手方向Ｘから規定する部分の近傍において、導体層１３Ｃは、切りかかれて凹形状に形成される。切欠きによって形成される導体層１３Ｃの凹部を「切欠き凹所」２７と称すると、切欠き凹所２７を規定する導体層１３Ｃの凹部と、長手方向Ｘに直線的に延びる導体層１３Ｃの縁辺部１８Ｃとが交わる部分において、導体層１３Ｃは、凸形状に形成される。第４実施形態では、この凸形状に形成される部分で、導体層１３Ｃは、面取りされて円弧状に形成される。
【００４６】
図６は、本発明に係るフレキシブルプリント配線板１０Ｃを、図５に示す切断面線Ａ−Ａで切断して見た図である。支持層１４は、厚みがほぼ一定の平板状に形成され、支持層１４上に、平板状に形成された導体層１３Ｃが配置されるので、導体層１３Ｃは縁辺部１８Ｃにおいて、導体層１３Ｃの厚みの分だけ支持層１４に対して段差を形成する。被覆層１２Ｃは、厚みがほぼ一定の膜状に形成されるので、被覆層１２Ｃは、開口部１６Ｃにおいて、被覆層１２Ｃの厚みの分だけ導体層１３Ｃに対して段差を形成する。
【００４７】
半田除去部のうち、半田に接触して半田に熱を与える部分は、金属で形成される。加熱されることによって液体となった半田は、半田除去部の半田に接触する部分の表面に対して親和性が高いことが望ましい。半田除去部の半田に接触する部分は、先細状に形成され、その先端部は、先鋭に形成される。半田除去部によって半田を除去するときには、液体となった半田を半田除去部の先端部に付着させることによって、半田を開口１７Ｃから除去する。開口１７Ｃから除去された液体状の半田は、たとえば布の端切れ、スポンジなどに対して半田除去部をこすり付けることによって、半田除去部の先端部から除去され、その後半田除去部は、再び半田の加熱および除去に用いられる。
【００４８】
半田除去部の先端部によって半田を融解した後、導体層１３Ｃの縁辺部１８Ｃに残留する半田を除去するときには、半田除去部の先端部を導体層１３Ｃと縁辺部１８Ｃに沿わせて移動させる。開口１７Ｃに露出する導体層１３Ｃの縁辺部１８Ｃに、鋭角鈍角を問わず屈折して尖った部分が形成されると、半田除去部の先端部を、縁辺部１８Ｃに沿わせて移動させるときに、半田除去部は、導体層１３Ｃの縁辺部１８Ｃが屈折した部分で滑らかに移動することが難しくなる。
【００４９】
第４実施形態によれば、開口１７Ｃに露出する導体層１３Ｃのうち、凹形状に切欠かれることによって凸形状に形成される部分の縁辺部１８Ｃが滑らかに湾曲した形状に形成される。これによって、半田除去部を、２つの導体層１３Ｃのうちの一方の導体層１３Ｃの縁辺部１８Ｃに沿わせて一度に滑らかに移動させることが容易になる。これによって、縁辺部１８Ｃが滑らかに湾曲した形状に形成されることによって、半田が残留する可能性を低減することができる。
【００５０】
＜第５実施形態＞
図７は、本発明の第５実施形態に係るフレキシブルプリント配線板１０Ｄの平面図である。第５実施形態では、２つのうち一方の導体層１３が開口１７Ｄに露出する部分の長手方向Ｘの位置と、他方の導体層１３が開口１７Ｄに露出する部分の長手方向Ｘの位置とは、互いに異なる。したがって、開口１７Ｄに露出する縁辺部１８Ｄの長手方向Ｘの位置は、互いに異なる。交差方向一方Ｙ１の導体層１３の縁辺端部１９Ｄのうち、長手方向一方Ｘ１の縁辺端部１９Ｄと、交差方向他方Ｙ２の導体層１３の縁辺端部１９Ｄのうち、長手方向一方Ｘ１の縁辺端部１９Ｄとの間において、開口部１６Ｄは直線的に形成される。交差方向一方Ｙ１の導体層１３の縁辺端部１９Ｄのうち、長手方向他方Ｘ２の縁辺端部１９Ｄと、交差方向他方Ｙ２の導体層１３の縁辺端部１９Ｄのうち、長手方向他方Ｘ２の縁辺端部１９Ｄとの間においても、開口部１６Ｄは直線的に形成される。
【００５１】
第５実施形態によれば、異なる導体層１３の、長手方向Ｘに同じ側の２つの縁辺端部１９Ｄに接する開口部１６Ｄ間の行程を長くすることができる。一方の導体層１３の縁辺端部１９Ｄから他方の導体層１３の縁辺端部１９Ｄまでの開口１７Ｄ内での行程は、長くなれば長くなるほど、残留する半田は、多くなければ、導体層１３間は導通されない。長手方向Ｘに同じ側に２つの縁辺端部１９Ｄに接する開口部１６Ｄ間の行程を、長くすることができるので、残留する半田が、２つの導体層１３間を導通する可能性を低減することができる。
【００５２】
＜第６実施形態＞
図８は、本発明の第６実施形態に係るフレキシブルプリント配線板１０Ｅの平面図である。第６実施形態において、被覆層１２Ｅには、２つの開口１７Ｅが形成される。２つの開口１７Ｅは、交差方向Ｙに離れて形成される。２つの開口１７Ｅのうち一方を「第１開口」２８と称し、他方を「第２開口」２９と称する。第１開口２８は、２つの導体層１３のうちの一方の導体層１３を露出させ、第２開口２９は他方の導体層１３を露出させる。被覆層１２Ｅは、第１開口２８の位置と第２開口２９の位置との間において支持層１４を覆う。各開口１７Ｅは、大略的に半円形の形状に形成される。２つの開口１７Ｅは、交差方向Ｙに並び、長手方向Ｘにおける第１開口２８の位置と、長手方向Ｘにおける第２開口２９の位置とは一致する。２つの開口１７Ｅは、被覆層１２Ｅのうち支持層１４上を覆う部分によって、分断される。
【００５３】
開口１７Ｅが半円形に形成されるときに、円弧と弦、または円弧と直径を成す弦とが交差する部分では、開口部１６Ｅには屈折する部分が形成される。本実施形態において、開口部１６Ｅの形状は、凹形状に形成される部分において、滑らかに湾曲する。
【００５４】
第６実施形態によれば、第１開口２８と第２開口２９とを、被覆層１２Ｅによって分離することができる。被覆層１２Ｅの、厚み方向Ｚに垂直な外表面は、開口部１６Ｅおよび導体層１３とが接する部分に比べて平滑であるので、この外表面から半田を除去することが容易である。第１開口２８と第２開口２９との間において、半田を完全に除去することが容易になる。また、仮に第１開口２８と第２開口２９との間に半田が残留する場合には、残留する半田を視認することが容易になる。したがって、第１開口２８に露出する導体層１３と第２開口２９に露出する導体層１３とが、残留する半田によって導通されることを防止することができる。
【００５５】
また第６実施形態によれば、開口部１６Ｅの形状は、凹形状に形成される部分において、滑らかに湾曲する。これによって、半田を半田除去部によって除去するときに、半田除去部が開口部１６Ｅに沿って滑らかに移動して、半田を除去することができる。したがって、半田が残留する可能性を低減することができる。
【００５６】
また第６実施形態によれば、半田を配置する位置は、被覆層１２Ｅに開口１７Ｅを形成することによって決定されるので、フレキシブルプリント配線板１０Ｅに、半田を配置するための突出部を設けることなく、半田の配置および除去を容易にすることができる。したがって、半田を配置するための突出部を設ける場合に比べて、フレキシブルプリント配線板の設計の自由度を高くすることができる。
【００５７】
＜変形例＞
第３および第４実施形態において、開口１７は円形に形成されるものとしたけれども、たとえば他の実施形態において、図７に示すように一方の導体層が露出する部分と他方の導体層が露出する部分とが、長手方向Ｘに異なる位置に形成され、一方の導体層の２つの縁辺端部と他方の導体層の縁辺端部とが、長手方向Ｘに異なる位置において切り欠かれて形成されていてもよい。
【００５８】
第５実施形態において、開口部１６Ｄのうち、凸形状に形成される部分および凹形状に形成される部分は、滑らかに湾曲する形状には形成されず、屈折する角部を有する形状としたけれども、たとえば他の実施形態において、第５実施形態と類似し、開口部のうち、凸形状に形成される部分および凹形状に形成される部分は、滑らかに湾曲する形状には形成されてもよい。
【００５９】
第６実施形態で、第１開口２８と第２開口２９とは、長手方向Ｘに同一の位置に形成され、交差方向Ｙに並んで形成されるものとしたけれども、たとえば他の実施形態において、第１開口と第２開口とは、長手方向Ｘに異なる位置に形成されていてもよい。第１開口２８および第２開口２９には、導体層の縁辺部が露出していてもよいし、露出していなくてもよい。換言すれば、２つの導体層の間に位置する支持層１４は、第１開口２８または第２開口２９に露出していても露出していなくてもよい。
【００６０】
また第６実施形態において、凹部として形成される開口部１６Ｅは、滑らかに湾曲して形成されるものとしたけれども、他の実施形態において凹形状に形成される開口部は、滑らかに形成されず、鋭角または鈍角の角を挟む形状に形成されていてもよい。また第１開口２８および第２開口２９は、大略的に半円形の形状に形成されるものとしたけれども、第１開口および第２開口の形状については規定しない。第６実施形態に類似する他の実施形態において、第１開口および第２開口は、たとえば円形に形成されてもよく、矩形に形成されてもよい。
【図面の簡単な説明】
【００６１】
【図１】本発明の第１実施形態に係るフレキシブルプリント配線板１０の平面図である。
【図２】本発明の第１実施形態に係る光ピックアップ装置１１の斜視図である。
【図３】本発明の第２実施形態に係るフレキシブルプリント配線板１０Ａの平面図である。
【図４】第３実施形態に係るフレキシブルプリント配線板１０Ｂの平面図である。
【図５】本発明の第４実施形態に係るフレキシブルプリント配線板１０Ｃの平面図である。
【図６】本発明に係るフレキシブルプリント配線板１０Ｃを、図５に示す切断面線Ａ−Ａで切断して見た図である。
【図７】本発明の第５実施形態に係るフレキシブルプリント配線板１０Ｄの平面図である。
【図８】本発明の第６実施形態に係るフレキシブルプリント配線板１０Ｅの平面図である。
【図９】第１の従来技術におけるフレキシブルプリント配線板１のコネクタ部２の平面図である。
【図１０】第２の従来技術に係るフレキシブルプリント配線板５の平面図である。
【符号の説明】
【００６２】
１０  フレキシブルプリント配線板
１１  光ピックアップ装置
１２  被覆層
１３  導体層
１４  支持層
１６  開口部
１７  開口
１８  縁辺部
１９  縁辺端部
２１  長手方向第１部分
２２  長手方向第２部分
２４  交差方向第１部分
２６  交差方向第２部分
２７  切欠き凹所
２８  第１開口
２９  第２開口
【図１】
2009224730.tif 000003
【図３】
2009224730.tif 000004
【図４】
2009224730.tif 000005
【図５】
2009224730.tif 000006
【図６】
2009224730.tif 000007
【図７】
2009224730.tif 000008
【図８】
2009224730.tif 000009
【図９】
2009224730.tif 000010
【図１０】
2009224730.tif 000011
【図２】
2009224730.tif 000012